(57)【要約】 【課題】  取引データを記録し、その記録された取引データを使用することで次回以降の取引時に、取引データの入力時間を短縮し、取引データの修正や順序変更を容易に行うことが可能な取引システムを提供する。【解決手段】  操作者により記録を希望する旨を指示し、その指示から記録すべき取引を行い、記録を希望する取引が終了した後、取引記録終了する旨の指示を行い、取引記録開始から取引記録終了までに行った取引データを記録する。当該記録された取引データを使用することで、次回以降の取引時には、手入力による取引データの入力時間を短縮することができ、さらに、記録した取引データの一覧を表示し、取引データの修正や順序変更を容易に行うことができる。【選択図】        図３
2006126909.tif 000002
【特許請求の範囲】
【請求項１】
取引装置と、
前記取引装置とネットワークを介して接続されるホストとから成る取引システムであって、
前記取引装置は、取引記録を開始する旨を指示する手段と、
取引記録を終了する旨を指示する手段とを有し、
前記ホストは、取引記録を開始する旨の指示から取引記録を終了する旨の指示までの取引データを記録する手段を有することを特徴とする取引システム。
【請求項２】
取引装置と、
前記取引装置とネットワークを介して接続されるホストとから成る取引システムであって、
前記取引装置は、取引記録を開始する旨を指示する手段と、
取引記録を終了する旨を指示する手段と、
取引記録を開始する旨の指示から取引記録を終了する旨の指示までの取引データを記録媒体に記録する手段とを有することを特徴とする取引システム。
【請求項３】
取引装置と、
前記取引装置とネットワークを介して接続されるホストとから成る取引システムであって、
前記取引装置は、取引記録を開始する旨を指示する手段と、
取引記録を終了する旨を指示する手段と、
取引記録を開始する旨の指示から取引記録を終了する旨の指示までの取引データを記録媒体に記録するか、または、ホストに記録するかを選択させる手段と、
取引記録を開始する旨の指示から取引記録を終了する旨の指示までの取引データを記録媒体に記録する手段とを有し、
前記ホストは、取引記録を開始する旨の指示から取引記録を終了する旨の指示までの取引データを記録する手段を有することを特徴とする取引システム。
【請求項４】
前記取引装置は、前記記録媒体、あるいは、前記ホストに記録した取引データの一覧を表示部に表示する手段と、
前記表示された取引データの取引内容の修正、あるいは、取引順序を変更する手段を有することを特徴とする請求項１ないし請求項３のいずれか１項に記載の取引システム。
【発明の詳細な説明】
【技術分野】
【０００１】
本発明は、操作者が操作して行う取引システムに係り、特に、取引時間の短縮を図った取引システムに関する。
【背景技術】
【０００２】
取引データを記録して取引時間の短縮を図ることは、従来から知られている（下記、特許文献１参照）。
この特許文献１に記載されている技術は、磁気ストライプ付き紙カードに銀行名、支店名、口座番号、受取人名を記録することにより、振込取引の取引時間を短縮するものである。
【０００３】
なお、本願発明に関連する先行技術文献としては以下のものがある。
【特許文献１】特開平５−２１０６９３号公報
【発明の開示】
【発明が解決しようとする課題】
【０００４】
しかしながら、前述の特許文献１に記載されている技術では、振込取引に限定した取引データしか記録できないため、他取引の取引時間の短縮はできず、また、紙カードに記録するため、取引内容を修正できないという問題点があった。
本発明は、前記従来技術の問題点を解決するためになされたものであり、本発明の目的は、取引データを記録し、その記録された取引データを使用することで次回以降の取引時に、取引データの入力時間を短縮し、取引データの修正や順序変更を容易に行うことが可能な取引システムを提供することにある。
本発明の前記ならびにその他の目的と新規な特徴は、本明細書の記述及び添付図面によって明らかにする。
【課題を解決するための手段】
【０００５】
本願において開示される発明のうち、代表的なものの概要を簡単に説明すれば、下記の通りである。
前述の課題を解消するために、本発明の取引システムでは、操作者により記録を希望する旨を指示し、その指示から記録すべき取引を行い、記録を希望する取引が終了した後、取引記録終了する旨の指示を行い、取引記録開始から取引記録終了までに行った取引データを記録する。
当該記録された取引データを使用することで、次回以降の取引時には、手入力による取引データの入力時間を短縮することができ、さらに、記録した取引データの一覧を表示し、取引データの修正や順序変更を容易に行うことができる。
【発明の効果】
【０００６】
本願において開示される発明のうち代表的なものによって得られる効果を簡単に説明すれば、下記の通りである。
本発明によれば、利用者が記録済みの取引であれば、取引データを手入力する手間が省け、取引にかかる時間を短縮することが可能となる。
【発明を実施するための最良の形態】
【０００７】
以下、図面を参照して本発明の実施例を詳細に説明する。
なお、実施例を説明するための全図において、同一機能を有するものは同一符号を付け、その繰り返しの説明は省略する。
図１は、本発明の実施例の取引システムの概略構成を示すブロック図である。
同図に示すように、本実施例の取引システムは、利用者との対話形式で取引を行う取引装置１と、取引装置１の制御を行うホスト２とで構成される。取引装置１とホスト２はネットワーク８を介して接続され、通信を行う。
図１−１は、図１に示す取引装置１の概略構成を示すブロック図である。
取引装置１は、利用者が操作入力する部分である操作入力部４と、利用者に操作案内を行う表示部５と、利用者が持参した記録媒体を入力する媒体入力部６と、ネットワーク８に接続され、ホスト２と取引問合せ等を行う接続部７と、処理制御するプログラム等を記録している記録部９と、取引装置全体を制御する制御部３とから構成される。
図１−２は、図１に示すホスト２の概略構成を示すブロック図である。
ホスト２は、ネットワーク８に接続される接続部１１と、制御部１０と、記録部１２とから構成される。
取引装置１からの取引データは、取引装置１の接続部７、ネットワーク８を介してホスト２の接続部１１に通知される。この取引データの通知により、ホスト全体を制御する制御部１０が記録部１２に取引データを記憶する。
【０００８】
図２−１は、図１に示す取引装置１における取引データ記録時の処理手順を示すフローチャートである。
取引装置１の表示部５には、図４に示すメニュー画面が表示されている。
図４は、図１に示す取引装置１の表示部５に表示されるメニュー画面２３を示す図である。
図４に示すメニュー画面２３は、取引を行うための各種キー１００と、取引記録開始キー１０１と、取引再現キー１０２とから構成される。
取引記録開始キー１０１を押下することにより、以後の取引データを記録することができ、取引再現キー１０２を押下することにより、取引装置１に入力した取引データを基に取引を再現することができる。
利用者は、取引装置１の表示部５に表示されている画面（図４に示すメニュー画面２３）において、希望する取引の記録開始を指示する取引記録開始キー１０１を押下する。
取引装置１は、操作入力部４において、取引記録開始キー１０１の押下を検知すると（ステップ１３）、表示部５に図５に示す画面を表示する。
【０００９】
図５は、図４に示すメニュー画面２３において、取引記録開始キー１０１を押下した後に、表示部５に表示される取引記録中画面を示す図である。
図５に示す取引記録中画面２４は、取引を行うための各種キー１０３と、取引記録終了キー１０４とから構成される。
取引記録中画面２４から取引を行うための各種キー１０３を押下し、取引を実施する。その後、取引記録終了キー１０４を押下することにより、ホスト２又は利用者が持参した記録媒体に当該取引データを記録することができる。
利用者は、記録したい取引を実施するため、表示部５に表示された画面（図５に示す取引記録中画面２４）の取引キー１０３を押下し取引を実行する（ステップ１４）。
希望する取引を繰返し実施し、取引の記録終了を指示する為、表示部５に表示された画面（図５に示す取引記録中画面２４）の取引記録終了キー１０４を押下する。
取引装置１は、操作入力部４において、取引記録終了キー１０４の押下を検知すると（ステップ１５）、当該取引データをホスト２へ送信するか、または、利用者が持参した記録媒体に転送することにより記録するかの画面（図６）を表示部５に表示し、利用者に選択させる。
【００１０】
図６は、図５に示す取引記録中画面２４において、取引記録終了キー１０４を押下した後に、表示部５に表示される取引記録画面２６を示す図である。
図６に示す取引記録画面２６は、利用者宛てのメッセージ表示部１０５と、媒体記録キー１０６と、ＯＫキー１０７と、キャンセルキー１０８とから構成される。
媒体記録キー１０６を押下することにより、利用者が持参した記録媒体に取引データを記録することができる。
また、ＯＫキー１０７を押下することにより、取引データをホスト２の記録部１２に記録することができる。
キャンセルキー１０８を押下することにより、取引データの記録をキャンセルすることができる。
図６に示す取引記録画面２６において、利用者の選択により、以下のような処理を行う（ステップ１６）。
ステップ１６において、利用者の選択が「ＯＫキー１０７」の場合、ホスト２にて取引記録を行う。
また、前述のステップ１５において、利用者の選択が「記録媒体に保存キー１０６」の場合は、利用者が持参した記録媒体に、媒体入力部６にて取引記録を行う。
また、前述のステップ１５において、利用者の選択が「キャンセルキー１０８」の場合は取引記録せず終了する。（ステップ１６）
【００１１】
図２−２は、図１に示す取引装置１における取引再現時の処理手順を示すフローチャートである。
利用者は、取引装置１の表示部５に表示されている画面（図４に示すメニュー画面２３）において、取引再現を指示する為、取引再現キー１０２を押下する。
取引装置１は、操作入力部４において、取引再現キー１０２の押下を検知すると（ステップ１７）、表示部５に図７に示す画面を表示する。
図７は、図４に示すメニュー画面２３において、取引再現キー１０２を押下した後に、表示部５に表示される取引データ選択画面２７を示す図である。
図７に示す取引データ選択画面２７は、利用者宛てのメッセージ表示部１０９と、ホストキー１１０と、媒体キー１１１とから構成される。
ホストキー１１０を押下することにより、ホスト２の記録部１２に記録されている取引データを基に取引を再現する。また、媒体キー１１１を押下することにより、利用者が持参した記録媒体を基に取引を再現する。
取引データがホスト２に記憶されている場合は、利用者は「ホストキー１１０」を押下する。また、取引データが、利用者が持参した記録媒体に記録されている場合は、利用者は「媒体キー１１１」を押下する。なお、媒体キー１１１の場合は、媒体入力部６に媒体を挿入する。
取引装置１は、ホスト２の記録部１２、または利用者の媒体入力部６から取引データを読み出し、取引データの一覧を表示部５に表示する（ステップ１８）。
【００１２】
図８は、図７に示す取引データ選択画面２７において、ホストキー１１０又は媒体キー１１１を押下して、取引データを選択した後に、表示部５に表示される取引確認画面２８を示す図である。
図８に示す取引確認画面２８は、取引データ一覧表示部１１２と、取引データ変更キー１１３と、取引データ削除キー１１４と、取引データ記録キー１１５と、取引順序変更キー１１６と、ＯＫキー１１７と、キャンセルキー１１８とから構成される。
取引データ変更キー１１３を押下することにより、取引データを修正することができ、また、取引データ削除キー１１４を押下することにより、当該取引データを削除することができる。
また、取引データ記録キー１１５を押下することで、修正後の取引データをホスト２または利用者が持参した記録媒体に記録することができる。
また、取引順序変更キー１１６を押下することで、取引の順序を変更することができる。
また、ＯＫキー１１７を押下することで、取引データ一覧表示部１１２に表示された取引を順に実行することができる。
さらに、キャンセルキー１１８を押下することで、取引データの再現をキャンセルすることができる。
利用者が行った、取引内容の変更や取引順序の変更を実行した（ステップ１９）上で、当該取引データを基に取引を行う（ステップ２０）。
【００１３】
図３は、本実施例の取引装置１の表示部５に表示される表示画面の画面遷移を示す図である。
利用者が、図４に示すメニュー画面２３において、取引記録開始キー１０１を押下することで以後の取引データの記録を開始する（図３に示す丸付き数字１）。
その後、図５に示す取引記録中画面２４において、振込キー１０３等を押下し、表示された取引画面２５にて記録したい取引を実施する（図３に示す丸付き数字２）。
取引終了後、図５に示す取引記録終了キー１０４を押下することで、図６に示す取引記録画面２６へと遷移し、実施した取引データを、ホスト２の記録部１２または利用者が持参した記録媒体が挿入されている媒体入力部６へ記録する（図３に示す丸付き数字３）。  利用者が持参した媒体に取引データを記録した場合、利用者は自分の情報端末を利用して取引データを編集することができる。
次回利用時には、利用者は、図４に示す取引再現キー１０２を押下することで、以前記録した取引を再現することができる。
図４に示すメニュー画面にて取引再現キー１０２を押下すると、図７に示す取引データ選択画面２７に遷移する（図３に示す丸付き数字４）。
図７に示す取引データ選択画面において、ホスト２または記録媒体に記録した取引データのどちら取引を再現するかを選択する。
利用者が、図７に示すホストキー１１０、あるいは、媒体キー１１１を押下すると、図８に示す取引確認画面２８に遷移する（図３に示す丸付き数字５）。
図８に示す取引確認画面２８において、記録されている取引データの一覧１１２が表示される。
利用者は、取引データの修正、取引データの削除、修正した取引データの保存、取引順序の変更、取引の開始、取引のキャンセルを行うことができる。
【００１４】
以上説明したように、本実施例により、利用者は一度実行した取引であれば、次回からは取引データを一から入力する手間が省け、利便性を向上させることができる。
また、利用者が記録した取引を再現することで、取引データを入力する手間が省け、取引時間を短縮することができる。
さらに、利用者は、持参した媒体に取引データを記録することができるので、別の装置を使用し、好きなときに取引データを編集することができ、柔軟性が向上する。
これにより、利用者が、取引装置を利用して取引を行う場合、毎回同じような取引データを手作業で入力するため、時間がかかると共に、タイプミス等が発生するのを防止でき、また、取引に時間がかかることにより順番を待っている他利用者のストレスが溜まるのを防止することができる。
以上、本発明の一実施例を図面にて説明したが、取引装置１とホスト２の機器構成や接続方法は、他の方法でも可能である。また、取引開始や取引終了等を指示する方法についても他の方法でも可能である。
以上、本発明者によってなされた発明を、前記実施例に基づき具体的に説明したが、本発明は、前記実施例に限定されるものではなく、その要旨を逸脱しない範囲において種々変更可能であることは勿論である。
【図面の簡単な説明】
【００１５】
【図１】本発明の実施例の取引システムの概略構成を示すブロック図である。
【図１−１】図１に示す取引装置の概略構成を示すブロック図である。
【図１−２】図１に示すホストの概略構成を示すブロック図である。
【図２−１】図１に示す取引装置における取引データ記録時の処理手順を示すフローチャートである。
【図２−２】図１に示す取引装置における取引再現時の処理手順を示すフローチャートである。
【図３】本実施例の取引装置の表示部に表示される表示画面の画面遷移を示す図である。
【図４】図１に示す取引装置の表示部に表示されるメニュー画面を示す図である。
【図５】図４に示すメニュー画面において、取引記録開始キーを押下した後に、表示部に表示される取引記録中画面を示す図である。
【図６】図５に示す取引記録中画面において、取引記録終了キーを押下した後に、表示部に表示される取引記録画面を示す図である。
【図７】図４に示すメニュー画面において、取引再現キーを押下した後に、表示部に表示される取引データ選択画面を示す図である。
【図８】図７に示す取引データ選択画面において、ホストキー又は媒体キーを押下して、取引データを選択した後に、表示部に表示される取引確認画面を示す図である。
【符号の説明】
【００１６】
１  取引装置
２  ホスト
３，１０  制御部
４  操作入力部
５  表示部
６  媒体入力部
７，１１  接続部
８  ネットワーク
９，１２  記録部
２３  メニュー画面
２４  取引記録中画面
２５  取引画面
２６  取引記録画面
２７  取引データ選択画面
２８  取引確認画面
１００  取引を行うための各種キー
１０１  取引記録開始キー
１０２  取引再現キー
１０３  取引を行うための各種キー
１０４  取引記録終了キー
１０５  利用者宛てのメッセージ表示部
１０６  媒体記録キー
１０７，１１７  ＯＫキー
１０８，１１８  キャンセルキー
１０９  利用者宛てのメッセージ表示部
１１０  ホストキー
１１１  媒体キー
１１２  取引データ一覧表示部
１１３  取引データ変更キー
１１４  取引データ削除キー
１１５  取引データ記録キー
１１６  取引順序変更キー
【図１】
2006126909.tif 000003
【図１−１】
2006126909.tif 000004
【図１−２】
2006126909.tif 000005
【図２−１】
2006126909.tif 000006
【図２−２】
2006126909.tif 000007
【図３】
2006126909.tif 000008
【図４】
2006126909.tif 000009
【図５】
2006126909.tif 000010
【図６】
2006126909.tif 000011
【図７】
2006126909.tif 000012
【図８】
2006126909.tif 000013